(57)【要約】【課題】  冷媒の偏流および流動音の発生を抑制するとともに、熱交換器側方のスペースを有効活用できる空調室内機を提供する。【解決手段】  室内機２は、主として、熱交換器ユニット、上部ケーシング、下部ケーシング、前面パネルおよびクロスフローファンを含む送風ユニットによって構成されている。室内熱交換器ユニットは、室内熱交換器２０、補助配管２７等によって構成されている。補助配管２７は、分流器２８を介して複数の枝葉補助配管２７ｂに枝分かれして室内熱交換器２０に冷媒を供給する。室内機２では、補助配管２７と分流器２８とが室内熱交換器２０の背面側、つまりクロスフローファン２１の上方後ろ半分を覆うように配置された室内熱交換器２０ｂと室内機２を構成するフレームの壁面取り付け側との間のスペースＳに配置されている。【選択図】      図５
2005106396.tif 000002
【特許請求の範囲】
【請求項１】
空気調和された空気を室内に供給する空調室内機（２）であって、
前記室内に供給される空気と冷媒との間で熱交換を行わせる熱交換器（２０）と、
空調室外機（３）から送られる冷媒を供給するために前記熱交換器（２０）に接続された補助冷媒配管（２７）と、
前記熱交換器（２０）に対して冷媒を供給する補助冷媒配管（２７）を枝分けする分流器（２８）と、
を備え、
前記分流器（２８）の上流側に接続された補助冷媒配管（２７）には直線状の直管部（２７ａ）が形成されており、
前記直管部（２７ａ）と前記分流器（２８）とは、前記熱交換器（２０）の背面側の空間（Ｓ）に配置されている空調室内機（２）。
【請求項２】
前記分流器（２８）には気液２層状態の冷媒が流れる、
請求項１に記載の空調室内機（２）。
【請求項３】
前記直管部（２７ａ）の長さは、前記直管部（２７ａ）における配管径の約１５倍以上である、
請求項１または２に記載の空調室内機（２）。
【請求項４】
壁面への取り付け状態において左右方向に長い形状である、
請求項１から３のいずれか１項に記載の空調室内機。
【請求項５】
前記直管部（２７ａ）の長さは、前記左右方向の長さの約１／３以上である、
請求項４に記載の空調室内機（２）。
【請求項６】
前記熱交換器（２０）は逆Ｖ字型の形状である、
請求項１から５のいずれか１項に記載の空調室内機（２）。
【請求項７】
略直方体形状である、
請求項１から６のいずれか１項に記載の空調室内機（２）。
【発明の詳細な説明】
【技術分野】
【０００１】
本発明は、冷媒を供給するために熱交換器に接続された補助冷媒配管を備えた空調室内機に関する。
【背景技術】
【０００２】
従来から、ビルや住宅などの建物内において、空気調和された空気を室内に供給して建物内の快適性を向上させる空気調和装置が広く普及している。
このような空気調和装置は、室内機、室外機、冷媒配管、ドレンホースなど備えている。室内機は、空調対象となる室内の壁面上部に設置され、室内熱交換器や送風ファンを有している。室内熱交換器は、補助冷媒配管に接続され、接触する空気との間で熱交換を行わせる。送風ファンは、室内等から空気を取り込み室内熱交換器において熱交換された空気を室内に給気する。室外機には、圧縮機、四路切替弁、アキュームレータ、室外熱交換器などが設けられている。これらの機器により加熱または冷却された冷媒が、冷媒配管を介して室内機内の補助冷媒配管に供給され、この補助冷媒配管から室内熱交換器へ冷媒がl供給される。
【０００３】
冷媒配管は、室内機と室外機との間を行き来する冷媒を循環させるための配管である。補助冷媒配管は、室内機内部に設けられている冷媒配管の一部であって、室内熱交換器へその冷媒を供給する配管である。ドレンホースは、室内熱交換器などにおいて発生するドレン（結露水）を室外に排出するためのホースである。
補助冷媒配管は、例えば、特許文献１の図１および図２に示されているように、室内熱交換器の側方に設けられている。特に、冷媒の偏流や流動音の発生を防止するために形成される直線状の補助冷媒配管からなる直管部は、室内機の高さ方向に沿って形成されている。さらに、補助冷媒配管を室内熱交換器の直前で室内熱交換器に接続された複数の枝に分流する分流器も、室内熱交換気の側方に設けられている。
【特許文献１】特開平８−３１３１１６号公報（平成８年１１月２９日公開）
【特許文献２】特開２００２−３１３６５号公報（平成１４年１月３１日公開）
【発明の開示】
【発明が解決しようとする課題】
【０００４】
しかしながら、上記従来の空調室内機では、以下に示すような問題点を有している。
すなわち、上記公報に記載された空調室内機では、上述のように、補助冷媒配管の直管部、分流器が室内熱交換器の側方に配置されている。
ここで、再熱ドライ方式の運転を行う空調室内機では、補助冷媒配管内に気液２層状態の冷媒が流れる。よって、分流器の上流側に位置する補助冷媒配管の直管部が所定の長さ以上ない場合には、冷媒の偏流や流動音の発生等の問題が生じるおそれがある。
【０００５】
上記従来の空調室内機においては、直管部が室内熱交換器の側方に配置されているため、直管部の長さを最大で空調室内機の縦幅までしかとることができない。これにより、補助冷媒配管の直管部の長さを十分に確保することが困難であることから、再熱ドライ方式の運転が行われると冷媒の偏流や流動音の発生等の問題が生じ易い。
本発明の課題は、冷媒の偏流および流動音の発生を抑制するとともに、熱交換器側方のスペースを有効活用できる空調室内機を提供することにある。
【課題を解決するための手段】
【０００６】
請求項１に記載の空調室内機は、空気調和された空気を室内に供給する空調室内機であって、室内に供給される空気と冷媒との間で熱交換を行わせる熱交換器と、空調室外機から送られる冷媒を供給するために熱交換器に接続された補助冷媒配管と、熱交換器に対して冷媒を供給する補助冷媒配管を枝分けする分流器と、を備えている。そして、分流器の上流側に接続された補助冷媒配管には直線状の直管部が形成されている。さらに、直管部と分流器とは熱交換器の背面側の空間に配置されている。
【０００７】
ここでは、補助冷媒配管に形成される直線状の配管である直管部を熱交換器の背面側に配置している。ここで、熱交換器の背面側の空間とは、横長形状のルームエアコン等の室内機の正面視における背面側の空間、換言すれば、壁に取り付けられた状態の室内機における熱交換器と壁取り付け面との間の空間をいう。直管部は、補助冷媒配管を複数の枝に分流するための分流器の上流側の補助冷媒配管の直線状の部分であり、主として冷媒の偏流や流動音の発生を防止するために形成されるものである。
【０００８】
従来の空調室内機においては、直管部は十分な長さを確保できればより効果的に冷媒の偏流や流動音の発生を防止できることがわかっていながら、室内機内部のスペースの関係で熱交換器の側方に配置されていた。しかし、このスペースでは直管部の長さは最大でも室内機の高さ分しか確保することができない。
そこで、本発明の空調室内機では、熱交換器の背面側のスペースに直管部および分流器を配置することで、最大で室内機の横幅方向における長さの直管部を形成することができる。このため、従来よりも直管部を長く形成することができ、冷媒の偏流や冷媒の流動音の発生を効果的に防止できる。さらに、従来、分流器や直管部が配置されていた熱交換器側方に空きスペースができるため、他の部品を熱交換器の側方に配置する、室内機を小型化する等、スペースの有効活用が可能になる。
【０００９】
請求項２に記載の空調室内機は、請求項１に記載の空調室内機であって、分流器には気液２層状態の冷媒が流れる。
いわゆる、再熱ドライ方式の冷凍サイクルにおいては、室内機の分流器に不安定な気液２層状態の冷媒が流れる。このため、補助冷媒配管の直管部が短い場合には、流動音が大きくなりやすい。
【００１０】
そこで、本発明の空調室内機では、直管部を熱交換器の背面側の空間に配置することで直管部の長さを大きく取れるため、再熱ドライ方式の冷凍サイクルで運転を行う空調室内機において、冷媒の流動音の発生を効果的に防止できる。
請求項３に記載の空調室内機は、請求項１または２に記載の空調室内機であって、直管部の長さは、前記直管部における配管径の約１５倍以上である。
【００１１】
ここでは、配管径を基準にして、冷媒の流動音を防止するために最低限必要な直管部の長さを規定している。ここで、冷媒の流動音は直管部の配管径に依存する側面があることから、この配管径を基準にして直管部の長さを規定することで、冷媒流動音の発生を確実に防止することができる。
請求項４に記載の空調室内機は、請求項１から３のいずれか１項に記載の空調室内機であって、壁面への取り付け状態において左右方向に長い形状である。
【００１２】
ここでは、例えば、住宅用壁掛けルームエアコンの室内機に本発明を適用することができる。
請求項５に記載の空調室内機は、請求項４に記載の空調室内機であって、直管部の長さは、空調室内機の左右方向の長さの約１／３以上である。
ここでは、空調室内機の横幅を基準にして、冷媒の流動音の発生を防止するために必要な最低限の直管部の長さを規定している。このため、十分な長さの直管部を形成できるため冷媒の流動音の発生を確実に防止することができる。
【００１３】
請求項６に記載の空調室内機は、請求項１から５のいずれか１項に記載の空調室内機であって、熱交換器は逆Ｖ字型の形状である。
ここでは、補助冷媒配管の直管部や分流器を配置するスペースとして、逆Ｖ字型の熱交換器の上部背面側にできるスペースを利用することができる。つまり、逆V字型の熱交換器の場合には、熱交換器の頂点付近の前面側と背面側とにはスペースができる。本発明では、このような逆V字型の熱交換器を搭載した空調室内機において、補助冷媒配管の直管部や分流器を配置するための十分なスペースを確保できる。
【００１４】
請求項７に記載の空調室内機は、請求項１から６のいずれか１項に記載の空調室内機であって、略直方体形状である。
ここでは、本発明を略直方体形状の空調室内機に適用している。
通常、直方体形状にすると丸みを帯びた形状と比較して大きく見えやすい。しかし、省スペース化が可能な本発明の空調室内を適用することで、直方体形状であっても薄型で小型の空調室内機を提供できる。
【発明の効果】
【００１５】
請求項１に記載の空調室内機によれば、従来よりも直管部を長く形成することができ、冷媒の偏流や冷媒の流動音の発生を効果的に防止できる。さらに、分流器と直管部とが配置されていた熱交換器の側方に他の部品を配置する、熱交換器の側方の空いたスペースをなくして室内機を小型化する等、スペースの有効活用が可能になる。
請求項２に記載の空調室内機によれば、再熱ドライ方式の冷凍サイクルで運転を行う空調室内機において、冷媒の流動音の発生を効果的に防止できる。
【００１６】
請求項３に記載の空調室内機によれば、配管径を基準にして直管部の長さを規定することで、冷媒流動音の発生を確実に防止することができる。
請求項４に記載の空調室内機によれば、例えば、住宅用壁掛けルームエアコンの室内機に本発明を適用することができる。
請求項５に記載の空調室内機によれば、十分な長さの直管部を形成できるため冷媒の流動音の発生を確実に防止することができる。
【００１７】
請求項６に記載の空調室内機によれば、補助冷媒配管の直管部や分流器を配置するための十分なスペースを確保できる。
請求項７に記載の空調室内機によれば、直方体形状であっても薄型で小型の空調室内機を提供できる。
【発明を実施するための最良の形態】
【００１８】
＜空気調和装置の全体構成＞
本発明の一実施形態に係る室内機（空調室内機）２を備えた空気調和装置１の外観を図１に示す。
この空気調和装置１は、調和された空気を室内に供給するための装置である。空気調和装置１は、室内の壁面などに取り付けられる略直方体形状の室内機２と、室外に設置される室外機３とを備えている。
【００１９】
室内機２内には、後段にて説明する室内熱交換器２０が収納され、室外機３内には室外熱交換器３０が収納されている。また、各熱交換器２０，３０が図１に示す冷媒配管４によって接続されることにより、図２に示す冷媒回路が構成されている。
＜空気調和装置の冷媒回路の概略構成＞
空気調和装置１の冷媒回路の構成を図２に示す。この冷媒回路は、再熱ドライ（除湿）方式の冷媒回路であって、主として室内熱交換器２０、室外熱交換器３０、アキュムレータ３１、圧縮機３２、四路切換弁３３および電動膨張弁３４で構成される。
【００２０】
室内機２に設けられている室内熱交換器２０は、第１室内熱交換器２０ａ、第２室内熱交換器２０ｂとから構成されている。そして、第１室内熱交換器２０ａと第２室内熱交換器２０ｂとの間には室内機電動弁２６が設けられている。また、図３に示すように、第１室内熱交換器２０ａは、クロスフローファン２１の上方の前半分を覆うように配置されている。第２室内熱交換器２０ｂは、クロスフローファン２１の前方を覆う部分と上方の後半分を覆う部分とに分かれて配置されている。そして、図示しない搬送空気吹き出し口が、第１室内熱交換器１１ａの前方に設けられている。また、室内機２には、室内空気を吸い込んで室内熱交換器２０に通し熱交換が行われた後の空気を室内に排出するためのクロスフローファン２１が設けられている。このクロスフローファン２１は、長細い円筒形状に構成され、中心軸が水平方向に平行になるように配置されている。クロスフローファン２１は、室内機２内に設けられる室内ファンモータ２２によって中心軸を中心にして回転駆動される。
【００２１】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。
電動膨張弁３４は、フィルタ３５および液閉鎖弁３６を介して配管４１に接続されており、この配管４１を介して室内熱交換器２０の一端と接続される。四路切換弁３３は、ガス閉鎖弁３７を介して配管４２に接続されており、この配管４２を介して室内熱交換器２０の他端と接続されている。なお、配管４１、４２は、図１の冷媒配管４に相当する。
【００２２】
また、室外機３には、室外熱交換器３０での熱交換後の空気を外部に排出するためのプロペラファン３８が設けられている。このプロペラファン３８は、室外ファンモータ３９によって回転駆動される。
＜室内機の構成＞
室内機２は、図１に示すように、正面視において横方向に長い形状であって、略直方体形状の外観を有しており、従来よりも薄型化されている。また、室内機２は、図３に示すように、主として、熱交換器ユニット５、上部ケーシング６、下部ケーシング７、前面パネル８およびクロスフローファン２１を含む送風ユニットによって構成されている。
【００２３】
以下、図３および図４に示す室内機２の断面図を参照して、室内機２の各構成について説明する。
室内熱交換器ユニット５は、室内熱交換器２０、補助配管（補助冷媒配管）２７等によって構成されている。室内熱交換器２０は、クロスフローファン２１の円周面に対向して配置されており、クロスフローファン２１の前方および上方を取り囲むように取り付けられている。室内熱交換器２０は、クロスフローファン２１が回転することにより、図4に示す吸い込み口２３ａ，２３ｂから吸い込まれた空気をクロスフローファン２１側に通過させ、伝熱管の内部を通過する冷媒との間で熱交換を行わせる。また、室内熱交換器２０の直下には、ドレンパン２４ａ，２４ｂが設けられている。ドレンパン２４ａ，２４ｂは、室内熱交換器２０を流れる冷媒と空気調和される空気との間で行われる熱交換によって室内熱交換器２０の表面に発生する水滴を集めてドレン水として屋外へ排出する。
【００２４】
補助配管２７は、室内熱交換器２０と室内機２の外部にある冷媒配管４とを繋ぐ。この補助配管２７には、室内熱交換器２０と室外熱交換器３０との間を循環する冷媒が流れている。なお、この補助配管２７の配置については後段にて詳述する。
上部ケーシング６は、室内機２の上部を覆うとともに、室内機２の外郭を構成している。また、上部ケーシング６は、上述したドレンパン２４ａと一体成形されている。
【００２５】
下部ケーシング７は、室内機２の下部を覆うとともに、室内機２の外郭を構成している。また、下部ケーシング７は上述したドレンパン２４ｂと一体成形されている。そして、下部ケーシング７には、上方からクロスフローファン２１等を含む送風ユニット、電装品箱５０、室内熱交換器２０を含む室内熱交換器ユニット等が取り付けられて、これらを下方から支持する。
【００２６】
前面パネル８は、上部パネル８ａ、下部パネル８ｂおよびカバー８ｃとで構成されている。上部パネル８ａは、空調室内機２が運転状態になると、図４に示すように前方に移動する。一方、下部パネル８ｂは上方向に移動してカバー８ｃの中に収納される。これにより、吸い込み口２３ａ，２３ｂと吹き出し口２５とを形成することができる。
ここで、上記下部ケーシング７の構成について、さらに詳しく説明すれば以下の通りである。
【００２７】
下部ケーシング７は、外面部７１、スクロール７２および水平フラップ（風向調整板）７３等によって構成されている。
外面部７１は、正面視において室内機２の外面として視野に現れる部分であり、上端が室内機２の前側に傾斜するように配置されている。また、外面部７１には、室内機２の長手方向に沿う開口からなる吹き出し口２５が設けられている。この吹き出し口２５は、図４に示すように、クロスフローファン２１が収納されている内部の空間に連通しており、クロスフローファン２１によって生成された空気流は前面パネル８（下部パネル８ｂ）の移動と後述する水平フラップ７３の回動によって形成された吹き出し口２５を通って室内へと吹き出す。また、吹き出し口２５には、室内へと吹き出される空気の吹き出し方向を決定する水平フラップ７３が設けられている。
【００２８】
スクロール７２は、クロスフローファン２１によって吹き上げられた空気を吹き出し口２５まで誘導する。
水平フラップ７３は、略直方体形状の室内機２の下面側に配置されており、室内機２の長手方向に平行な軸を中心に回動自在に設けられている。この水平フラップ７３は、フラップモータ（図示せず）によって回転駆動されることにより、空気調和された空気の上下方向における吹き出し角度を調整する。
【００２９】
＜補助配管＞
補助配管２７は、室内機２内部に引き込まれた冷媒配管４の一部であって、図５および図６に示すように、室内熱交換器２０に冷媒を供給する。また、補助配管２７は、図６に示すように、分流器２８を介して複数の枝葉補助配管２７ｂに枝分かれして室内熱交換器２０に冷媒を供給する。さらに、補助配管２７は、図５および図６に示すように、分流器２８の上流側に長さｘの直管部２７ａを有している。ここでは、直管部２７ａの長さｘは、室内機２の横幅の約１／３の長さになるように形成されている。
【００３０】
分流器２８は、室外機３の室外熱交換器３０から冷媒配管４を介して送られた冷媒を１本の補助配管２７から複数の枝葉補助配管２７ｂに分流する。これにより、室内熱交換器２に対して複数の配管から冷媒を供給することができる。
本実施形態の室内機２では、特に、この補助配管２７と分流器２８とが室内熱交換器２０の背面側、つまりクロスフローファン２１の上方後ろ半分を覆うように配置された室内熱交換器２０ｂと室内機２を構成するフレームの壁面取り付け側との間のスペースＳに配置されている。
【００３１】
＜再熱ドライ運転時の制御＞
本実施形態の室内機２におけるドライ運転時には、室内熱交換器２０の一部を凝縮器、他の部分を蒸発器として機能させて室内を除湿する第２再熱制御を行う。すなわち、四路切換弁３３を図２に示す実線の位置に設定し、電動弁３４を全開にして、室内機電動弁２６を絞って圧縮機３２を起動する。圧縮機３２から吐出される高圧冷媒は、室外熱交換器３０、電動弁３４を介して第１室内熱交換器２０ａに流入する。そして、第１室内熱交換器２０ａで凝縮された冷媒は、室内機電動弁２６で減圧される。減圧された低圧冷媒は、第２室内熱交換器２０ｂで蒸発した後、四路切換弁３３、アキュムレータ３１を介して圧縮機３２に戻る。このとき、第１室内熱交換器２０ａでは、冷媒が凝縮するため室内空気は加熱され、第２室内熱交換器２０ｂでは、冷媒が蒸発するため室内空気を冷却、除湿される。
【００３２】
室内機２では、上記の第２再熱制御と併せて第１再熱制御が行われる。従って、室内機２では、第１室内熱交換器２０ａの前方に配置された搬送空気吹出し口から高温空気が吹き出す。すなわち、第１室内熱交換器２０ａを通る空気流の第１室内熱交換器２０ａより上流側に高温空気が吹き出す。このため、高温空気は、室内から取り込まれた空気の一部と共に、凝縮器として機能している第１室内熱交換器２０ａを通る際に加熱される。また、室内から取り込まれた他の空気は、蒸発器として機能している第２室内熱交換器２０ｂを通る際に冷却されて除湿される。第１室内熱交換器２０ａを通って加熱された空気と第２室内熱交換器２０ｂを通って除湿された除湿空気とは、混合されて室内機２から吹き出し、室内へと供給される。これにより、室温を落とさずに室内空気の除湿だけを行うことができる。
［本実施形態の空調室内機の特徴］
（１）
本実施形態の室内機２は、分流器２８の上流側に接続された補助配管２７が直線状の直管部２７ａを有しており、この直管部２７ａと分流器２８とが室内熱交換器２０の背面側のスペースＳに配置されている。
【００３３】
通常、補助配管２７は、冷媒の流動音等の発生を防止するために、できるだけ直線部分を長く確保する必要がある。このため、直線状部分を長く取れるスペースとして、従来は分流器等とともに室内熱交換器２０の側方、つまり室内機の正面から見て室内熱交換器２０の右横のスペースを利用していた。しかし、壁掛け式のルームエアコン等の室内機２は、通常、横長形状であるため縦幅は比較的短くなる。このため、冷媒の流動音の発生等を防止するために十分な長さの直管部２７ａが形成されているとは言い難い。特に、本実施形態のような再熱ドライ方式の運転を行う室内機２では、分流器２８内を気液２層の不安定な状態の冷媒が流れることになるため、流動音が発生しやすい。
【００３４】
そこで、本実施形態の室内機２では、直管部２７ａおよびこれに接続された分流器２８の配置スペースとして、室内機２の正面から見て室内熱交換器２０の背面側のスペースSを使用している。これにより、通常は横長形状の室内機２の長手方向に沿って直管部２７ａを配置することができるため、冷媒の偏流や流動音の発生等を効果的に防止できるだけの十分な長さの直管部２７ａを形成することができる。
【００３５】
（２）
本実施形態の室内機２は、再熱ドライ方式の運転を行う。この再熱ドライ方式の運転では、直管部２７ａや分流器２８に流れる冷媒が気液２層が混合した不安定な状態となっている。このため、通常の冷凍サイクルで運転を行う室内機２と比較して冷媒の流動音等の問題が発生しやすい。
【００３６】
そこで、本実施形態の室内機２では、直管部２７ａや分流器２８を室内熱交換器２０の背面側のスペースＳに配置して十分な長さの直管部２７ａを形成しているため、再熱ドライ方式の冷凍サイクルで運転を行う室内機であっても、容易に冷媒の流動音等の発生を効果的に防止できる。
（３）
本実施形態の室内機２は、直管部２７ａの長さが室内機２の全幅の約１／３になっている。
【００３７】
これにより、例えば、再熱ドライ方式の冷凍サイクルを採用した室内機であっても、冷媒の流動音等の発生を防止できるだけの十分な長さの直管部２７ａを形成することができる。
（４）
本実施形態の室内機２は、断面形状が逆Ｖ字型となる室内熱交換器２０を備えている。
【００３８】
このため、室内機２内部における逆Ｖ字型の室内熱交換器２０の頂点の両側には、大きなスペースができることになる。特に、室内熱交換器２０は横長形状の室内機２の内部に沿って配置されているため、このスペースの最大長さはほぼ室内機２の全幅に相当する。
これにより、この長細いスペースを直管部２７ａ等の配置スペースとして利用することができるため、冷媒の流動音等の発生を効果的に防止した室内機２を提供できる。
【００３９】
（５）
本実施形態の室内機２は、略直方体形状のケーシングに各構成部材が収納されている。
通常、直方体形状の室内機を形成した場合には、一般的な丸みを帯びた室内機と比較して大きく見えやすいという欠点がある。しかし、本実施形態の室内機２では、直管部２７ａ、分流器２８を室内熱交換器２０の背面側のスペースＳに配置している。このため、従来、直管部２７ａ等が配置されていた室内熱交換器２０横のスペースが空くことになる。よって、このスペースの分だけ室内機２を小型化することで、大きく見えやすい略直方体形状の室内機であっても、ユーザに大きいと感じさせないで提供することができる。
［他の実施形態］
以上、本発明の一実施形態について説明したが、本発明は上記実施形態に限定されるものではなく、発明の要旨を逸脱しない範囲で種々の変更が可能である。
【００４０】
（Ａ）
上記実施形態では、直管部２７ａの長さが室内機２の全幅の約１／３である例を挙げて説明した。しかし、本発明はこれに限定されるものではない。例えば、直管部２７ａの径の１５倍以上の長さの直管部であれば、上記と同様に、冷媒の流動音の発生等を効果的に防止できる。
【００４１】
（Ｂ）
上記実施形態では、再熱ドライ方式の冷凍サイクルによる運転を行う室内機２を例に挙げて説明した。しかし、本発明はこれに限定されるものではない。例えば、通常の冷凍サイクルによる運転を行う室内機２にであっても、冷媒の流動音等の発生を効果的に防止できる。
【００４２】
ただし、上述した再熱ドライ方式の運転を行う室内機２の場合には、特に、分流器２８を流れる冷媒が気液２層の不安定な状態であることから流動音が発生しやすい。このため、上記実施形態のように、再熱ドライ方式の運転を行う室内機２に本発明を適用した場合には、冷媒の流動音等の問題を容易に解決できるためより好ましい。
【産業上の利用可能性】
【００４３】
本発明は、再熱ドライ方式の運転を行う空調室内機等のように、補助冷媒配管において冷媒の流動音が発生しやすい構造の空調室内機に対して適用可能である。
【図面の簡単な説明】
【００４４】
【図１】本実施形態の空調室内機を備えた空気調和装置を示す斜視図。
【図２】図１の空気調和装置における再熱除湿方式の冷媒回路を示す概略図。
【図３】図１の空調室内機の内部の構成を示す断面図。
【図４】図３の空調室内機の冷房運転中における状態を示す断面図。
【図５】本実施形態の空調室内機における補助配管の配置について室内機内部の構成を示す斜視図。
【図６】図５の平面図。
【符号の説明】
【００４５】
２      室内機（空調室内機）
３      室外機
５      熱交換器ユニット
６      上部ケーシング
７      下部ケーシング
８      前面パネル
８ａ    上部パネル
８ｂ    下部パネル
８ｃ    カバー
２０      室内熱交換器
２１      クロスフローファン
２２      ファンモータ
２３ａ    吸い込み口
２３ｂ    吸い込み口
２４ａ    ドレンパン
２４ｂ    ドレンパン
２５      吹き出し口
２６      室内機電動弁
２７      補助配管（補助冷媒配管）
２７ａ    直管部
２７ｂ    枝葉補助配管
２８      分流器
３０      室外熱交換器
３１      アキュムレータ
３２      圧縮機
３３      四路切換弁
３４      電動膨張弁
７１      外面部
７３      水平フラップ（風向調整板）
Ｓ        スペース（熱交換器の背面側の空間）
【図１】
2005106396.tif 000003
【図２】
2005106396.tif 000004
【図３】
2005106396.tif 000005
【図４】
2005106396.tif 000006
【図５】
2005106396.tif 000007
【図６】
2005106396.tif 000008